(57)【要約】  【課題】  超音波画像データまたはリポートデータと音声データを関連付けし、画像ファイリングシステムへ保存し、超音波画像またはレポート画像が表示された際に、関連付けられた音声データの有無を容易に識別することができる超音波診断装置を提供する。  【解決手段】  超音波画像データを得る超音波画像形成部２、超音波画像データの計測部位のデータを演算する計測値演算部３と、計測部位のデータからリポートデータを作成するリポート作成部７と、音声データを得るデジタル変換部５と、各種データの流れを制御するデータ制御部９と、超音波画像が表示された画面を超音波画像ファイルとしてデータ制御部へ送信する画像記憶部８とを備え、データ制御部は、超音波画像データまたはリポートデータと、音声データとを関連付けし、超音波画像とリポートデータを表示する際に、関連付けられた音声データの有無を示す標識を表示する。【選択図】  図１
2006141466.tif 000002
【特許請求の範囲】
【請求項１】
超音波探触子から得られた信号に基づき超音波画像データを作成する超音波画像形成手段と、
前記超音波画像データを演算処理し、計測値を求める計測値演算手段と、
前記計測値に基づくリポートデータを作成するリポート作成手段と、
音声信号を入力するための音声入力手段と、
入力された前記音声信号を音声データに変換する音声データ作成手段と、
前記音声データを音声として出力する音声出力手段と、
超音波画像データまたは、リポートデータに基づき、表示手段に画像を表示させる表示出力手段と、
データを記憶するデータ記憶手段と、
前記リポートデータまたは前記超音波画像データの少なくとも一方と前記音声データを関連付けした関連付けデータを前記リポートデータ、前記診断画像データおよび前記音声データとともに、前記データ記憶手段に保存するとともに、前記リポートデータまたは前記超音波画像データを前記データ記憶手段から抽出して、前記リポートデータまたは前記超音波画像データに基づいた画像を、前記表示出力手段を介して前記表示手段に表示させるデータ制御手段とを備え、
前記データ制御手段は、前記リポート画像または前記超音波画像を表示させる際に、前記音声データが関連付けられている場合は、音声との関連付けを示す標識を表示させることを特徴とする超音波診断装置。
【請求項２】
前記データ制御手段は、前記リポートデータと前記音声データを相互に関連付ける請求項１記載の超音波診断装置。
【請求項３】
前記データ制御手段は、前記リポートデータと前記超音波画像データと前記音声データとを相互に関連付ける請求項１記載の超音波診断装置。
【請求項４】
前記標識が選択されることにより、前記音声出力手段は、前記音声データに基づく音声を再生する請求項１〜３のいずれか１項に記載の超音波診断装置。
【発明の詳細な説明】
【技術分野】
【０００１】
本発明は、超音波を送受波し、超音波画像とリポート画像の表示を行う超音波診断装置に関する。
【背景技術】
【０００２】
超音波診断装置は、超音波画像情報を取得した後、一般的に、静止画像や動画像を装置上のファイリングシステムに保存し、閲覧することができる。
【０００３】
超音波診断装置において、所見情報は、レポート作成時の所見入力や患者情報ページ上、また超音波画像上での所見（コメント）をテキスト入力することが一般的であり、これらは文字情報として保存される。レポートデータとして保存された所見は、レポートデータを開かなければ所見を見ることができない。また、超音波画像上にテキスト入力された情報は、入力文字数が多すぎると超音波画像を隠してしまい、所望の画像とテキスト情報が、別々のデータとして管理される状況にある。
【０００４】
上記問題を解決するために、特許文献１には、超音波診断の所見をテキストではなく音声により入力し、その音声の音声データと動画像を画像ファイリングシステムに保存し、動画像の再生時に出力する超音波診断装置が記載されている。また、特許文献２には、音声データと画像フレームデータを同期させて保存させる超音波診断装置が記載されている。
【０００５】
これらは、特に画像ファイリングシステムに保存された所見情報の音声データを画像再生時に同期させることの有効性や、ドプラデータのデジタル画像データと音声データの同期手法に関して有効である。しかし、静止画像やレポートデータと音声データを関連付けしたデータの保存、および画像ファイリングシステム上の所見音声データのみの再生に関しては、これまで知られていない。
【０００６】
また、画像データをアナログデータとして保存したい場合にはＶＴＲ（ビデオテープレコーダ）に記憶され、この場合には、アナログ画像データと共に音声情報がＶＴＲに記憶される。
【特許文献１】特開平４−２４１８４６号公報
【特許文献２】特開２００３−１２６０９１号公報
【発明の開示】
【発明が解決しようとする課題】
【０００７】
画像データと関連付けられていない音声データを単独で保存している場合には、何が録音されているのかは、音声データを再生させなければ分からず、操作者にとっては煩雑である。
【０００８】
一方、音声と画像を同時に録音、録画できるＶＴＲにおいては、所望の場面を探し出すために、テープの読み出しを実施しなければならず、必要なデータを取得するには手間がかかっていた。
【０００９】
本発明は、静止画像のデータである超音波画像データまたはリポートデータと音声データを関連付けし、画像ファイリングシステムへ保存し、超音波画像またはレポート画像が表示された際に、関連付けられた音声データの有無を容易に識別することができる超音波診断装置を提供することを目的とする。
【課題を解決するための手段】
【００１０】
上記の目的を達成するために、本発明の超音波診断装置は、超音波探触子から得られた信号に基づき超音波画像データを作成する超音波画像形成手段と、超音波画像データを演算処理し、計測値を求める計測値演算手段と、計測値に基づくリポートデータを作成するリポート作成手段と、音声信号を入力するための音声入力手段と、入力された音声信号を音声データに変換する音声データ作成手段と、音声データを音声として出力する音声出力手段と、超音波画像データまたは、リポートデータに基づき、表示手段に画像を表示させる表示出力手段と、データを記憶するデータ記憶手段と、リポートデータまたは超音波画像データの少なくとも一方と音声データを関連付けした関連付けデータをリポートデータ、診断画像データおよび音声データとともに、データ記憶手段に保存するとともに、リポートデータまたは超音波画像データをデータ記憶手段から抽出して、リポートデータまたは超音波画像データに基づいた画像を、表示出力手段を介して表示手段に表示させるデータ制御手段とを備え、データ制御手段は、リポート画像または超音波画像を表示させる際に、音声データが関連付けられている場合は、音声との関連付けを示す標識を表示させることを特徴とする。
【００１１】
この構成により、表示手段に表示された超音波画像またはリポート画像に関連する音声データの有無を判断することができる。
【００１２】
また、データ制御手段は、リポートデータと音声データを相互に関連付ける構成にすることもできる。
【００１３】
また、データ制御手段は、リポートデータと超音波画像データと音声データとを相互に関連付ける構成にすることもできる。
【００１４】
この構成により、関連する情報を容易に取り出すことができる。
【００１５】
また、標識が選択されることにより、音声出力手段は、音声データに基づく音声を再生する構成にすることもできる。
【００１６】
この構成により、音声の再生を容易にすることができる。
【発明の効果】
【００１７】
本発明によれば、超音波画像データまたはリポートデータと音声データを関連付けし、画像ファイリングシステムへ保存し、超音波画像またはレポート画像が表示された際に、関連付けられた音声データの有無を容易に識別することができる超音波診断装置を提供することが可能となる。
【発明を実施するための最良の形態】
【００１８】
以下、本発明の超音波診断装置について、図を用いて説明する。
【００１９】
（実施の形態）
図１は、本発明の実施の形態に係る超音波診断装置の一構成例を示したブロック図である。
【００２０】
本実施の形態に係る超音波診断装置は、超音波画像を表示するために、超音波探触子１と、超音波画像形成部２と、計測値演算部３と、表示出力部６と、表示部１１を有している。さらに、音声の入出力、データの保存を行うために、音声入力部４、デジタル変換部５、音声出力部１２と、リポート作成部７、画像記憶部８、データ制御部９、データ記憶部１０とを有している。
【００２１】
超音波探触子１は、被検体に超音波を送信し、その反射波を受信する。超音波画像形成部２は、超音波探触子１により得られた信号を遅延加算処理、増幅などの処理を行うことにより、超音波画像データを形成する。計測値演算部３は、超音波画像形成部２から受信した超音波画像データにおける超音波画像の距離、面積などを計測する計測手段を備え、検査項目に応じて、それらの手段を用い、患部などの計測部位の状態を検出する。表示出力部６は、超音波画像データを表示部１１で表示できるデータに変換し、表示部１１は、例えばモニタで構成されており、表示出力部６で変換された各種データを画像として表示する。
【００２２】
また、音声入力部４は、例えば、マイクロフォンで構成されており、操作者（例えば、医師）の所見やコメントを音声として入力するために用いられる。デジタル変換部５は、音声入力部４からのアナログの音声信号をデジタルの音声データに変換する。
【００２３】
画像記憶部８は、表示部１１に表示された画像を超音波画像ファイルとしてデータ制御部９へ送信する。リポート作成部７は、計測値演算部３により演算された計測値を用いてリポートデータを作成する。
【００２４】
データ制御部９は、受信したリポートデータまたは超音波画像データと音声データを関連付けし、各種データと共に関連付けデータをファイルにまとめて、データ記憶部１０に保存させる。さらに、データ制御部９は、データ記憶部１０に保存されている画像ファイルを閲覧するための表示および読み出し機能を持ち、表示出力部６を介して表示部１１に表示する。データ記憶部１０は、超音波画像データ、リポートデータ、音声データおよびそれらの関連付けデータを保存する。音声出力部１２は、データ制御部９がデータ記憶部１０から取り出した音声データを、音声として出力する。
【００２５】
なお、特許請求の範囲における超音波画像形成手段は、超音波画像形成部２で構成され、計測値演算手段は、計測値演算部３で構成される。リポート作成手段は、リポート作成部７で構成され、音声入力手段は、音声入力部４で構成される。音声データ作成手段は、デジタル変換部５で構成され、音声出力手段は、音声出力部１２で構成される。表示手段は、表示部１１で構成され、表示出力手段は、表示出力部６で構成される。データ記憶手段は、データ記憶部１０で構成され、データ制御手段は、データ制御部で構成される。
【００２６】
また、画像ファイリングシステムは、データ制御部９とデータ記憶部１０で構成される。
【００２７】
次に、以上のように構成された本実施の形態に係る超音波診断装置において、その動作について説明する。
【００２８】
超音波探触子１で得られた信号は、超音波画像形成部２により超音波画像データとなるよう遅延加算、増幅などの電気的処理が施され、表示出力部６を介して、表示部１１に表示される。また、超音波画像データは、超音波画像形成部２により、計測値演算部３へも送信される。超音波画像データは、計測値演算部３により、検査項目に応じて演算され、計測値が求められる。計測値は、リポート作成部７に送信されると共に、表示出力部６を介して表示部１１に表示される。なお、計測値演算部３からリポート作成部７へ送信されるデータとしは、計測値の他に、操作者が計測を実施した検査項目、およびそれに関連する計測名や計測単位などを含めることができる。
【００２９】
音声入力部４から出力されるアナログの音声信号は、デジタル変換部５により、デジタルの音声データに変換される。変換された音声データは、リポート作成時には、リポート作成部７へ送信され、超音波画面表示中であれば、データ制御部９へ送信される。リポート作成部７によりリポートが作成され、作成されたリポートまたは、保持されている音声データは、電子ファイルとしてデータ制御部９へ送信される。画像記憶部８により、表示出力部６を介して表示部１１に表示されている画像は、超音波画像ファイルとしてデータ制御部９へ送信される。
【００３０】
受信した超音波画像ファイルまたはリポートデータは、データ制御部９により、音声データと関連付けされて、データ記憶部１０に保存される。データ記憶部１０に保存された超音波画像データ、リポートデータは、データ制御部９により、閲覧されるために読み出され、表示出力部６を介して表示部１１に超音波画像、リポート画像として表示される。さらに、表示された超音波画像、リポート画像は、データ制御部９により、関連付けの情報を元に音声データがある場合には音声アイコン（標識）が表示され、操作者からの操作（例えば、音声アイコンのクリック、決定ボタンの押下）により該当する音声データが、音声出力部１２を介して音声として再生される。なお、関連付けの情報は、超音波画像データや音声データのファイルヘッダに埋め込んで保存、データベースに登録または単体の電子ファイルとなって保存されてもよい。
【００３１】
次に、データ制御部９で行われる超音波画像ファイルと音声データの関連付けについて説明する。
【００３２】
図２は、本実施の形態に係る超音波診断装置において、診断画像ファイルと音声データを関連付けする手順を示す流れ図である。超音波診断装置は、操作者の特定操作により音声入力部４からの音声入力を開始する（ステップＳ１０１）。デジタル変換部４は、音声入力部４から入力された音声信号を音声データへ変換しながら録音する（ステップＳ１０２）。操作者の特定操作により、または録音容量制限等により、録音終了処理が実施され、音声データが作成される（ステップＳ１０３）。
【００３３】
録音時において、表示部１１へ表示されている画像が、リポート画像であるか超音波画像であるかを判定する（ステップＳ１０４）。表示部１１へ表示されている画像が、リポート画像であれば、デジタル変換５は、音声データをリポート作成部６へ送信する（ステップＳ１０５）。録音終了時点のリポートデータを電子ファイルにして、音声データと共にデータ制御部９へ送信する（ステップＳ１０６）。ステップＳ１０４において、表示部１１に表示されている画像が、超音波画像であれば、デジタル変換部５は、音声データをデータ制御部９へ送信する（ステップＳ１０７）。そして、画像記憶部８は、表示部１１に表示されている超音波画面を静止画像である超音波画像ファイルに変換し、データ制御部９へ送信する（ステップＳ１０８）。データ制御部８は、受信したデータの関連づけ情報を作成し、超音波画像データ、音声データ、リポートデータと合わせてデータ記憶部１０へ保存して、関連付け処理を終了する（ステップＳ１０９）。
【００３４】
以上のような手順により超音波画像データと音声データ、リポートデータと音声データが関連付けられデータ記憶部１０に保存される。
【００３５】
このように関連付けされたデータは、データ制御部９により、データ記憶部１０から読み出されて、表示出力部６を介して、表示部１１に表示される。
【００３６】
図３は、本実施の形態に係る超音波診断装置において、データ制御部９が、音声データと関連付けられた超音波画像データまたは、レポートデータを表示部１１に表示した一模式図である。
【００３７】
図３の画像閲覧画面２１は、超音波画像２３ａ、２３ｂを表示し、リポート画像２２を表示し、超音波画像データに関連付けられた音声データがあることを示す音声アイコン２４が表示されている。この音声アイコン２４が操作者からの特定操作（例えば、音声アイコン２４のクリック）により選択された場合は、データ制御部９は、データ記憶部１０に保存されている音声データを音声出力部１２から音声として再生させる。
【００３８】
次に、図４を参照して、画像閲覧画面２１のリポート画像２２、超音波画像２３ａ、２３ｂおよび音声アイコン２４の表示制御について説明する。図４は、画像閲覧画面２１の超音波画像２３ａに音声アイコン２４を表示する表示制御の一例を示す流れ図である。
【００３９】
図４に示す流れ図における超音波診断装置は、画像閲覧画面２１を表示するための処理を開始する（ステップＳ２０１）。データ制御部９は、画像閲覧画面２１に表示する超音波画像データを読み出すために、データ記憶部１０に保存されている超音波画像データの関連付けの情報を参照する（ステップＳ２０２）。データ制御部９は、データ記憶部１０から超音波画像データを順次読み出して表示出力部６を介して表示部１１へ表示する（ステップＳ２０３）。データ制御部６は、超音波画像データに関連づけされた音声データがあるか否かを判断する（ステップＳ２０４）。音声データがあれば、データ制御部６は、該当する超音波画像データに対して、音声データが有ることを知らせる音声アイコンを、表示出力部６を介して表示部１１へ表示し（ステップＳ２０５）、表示制御を終了する。音声データが無ければ、表示制御を終了する。
【００４０】
なお、リポート画像に付く音声アイコンについても同様の表示制御を用いることができる。
【００４１】
以上のように、本発明の超音波診断装置は、画像閲覧画面２１において、超音波画像２３ａ、２３ｂまたはリポート画像に関連した音声データの有無を容易に識別できる。
【００４２】
さらに、その音声データの再生させるための操作を容易にすることが可能である。
【００４３】
また、音声データと関連付けられていないリポートデータまたは超音波画像データに、音声データと関連付けられていないことを示す音声アイコンを表示してもよい。
【００４４】
また、音声データと超音波画像またはリポート画像が相互に関連付けられており、音声データを選択することにより、超音波画像またはリポート画像が表示される構成であっても良い。
【００４５】
また、超音波画像データ、リポート画像データ、または音声データのいずれかを選択することにより、関連付けられた超音波画像、リポート画像、さらに音声アイコンが表示される構成であっても良い。この構成にすることにより、例えば、リポート画像を作成する時に用いた超音波画像を容易に検出することができる。
【産業上の利用可能性】
【００４６】
本発明の超音波診断装置は、超音波画像または、レポート画像を表示する際に、音声データとの関連付けられている場合に標識を表示するため、音声データの有無を認識できるという利点を有し、超音波診断などの医療分野において有用である。
【図面の簡単な説明】
【００４７】
【図１】本発明に係る超音波診断装置の一構成例を示すブロック図
【図２】本発明に係る超音波診断装置の超音波画像ファイルまたはレポートデータと音声データを関連付けする制御の流れ図
【図３】本発明に係る超音波診断装置の画像閲覧画面の一例を示す図
【図４】本発明に係る超音波診断装置の画像閲覧画面の超音波画像データに音声アイコンを表示する表示制御の流れ図
【符号の説明】
【００４８】
１  超音波探触子
２  超音波画像形成部
３  計測値演算部
４  音声入力部
５  デジタル変換部
６  表示出力部
７  リポート作成部
８  画像記憶部
９  データ制御部
１０  データ記憶部
１１  表示部
１２  音声出力部
２１  画像閲覧画面
２２  リポート画像
２３ａ、２３ｂ  超音波画像
２４  標識（音声アイコン）
【図１】
2006141466.tif 000003
【図２】
2006141466.tif 000004
【図３】
2006141466.tif 000005
【図４】
2006141466.tif 000006